(57)【要約】【課題】  本棚の棚板に立てた書籍や資料等（以下、書籍や資料等を、単に書類と記す）と書類との間隙に介在させて、書類を常に立てた状態に保持する本棚の仕切体に関するものである。【解決手段】  本棚の棚板に起立して収納される書類と書類との間に介在可能な本棚の仕切体において、この仕切体は、一対の側板と、この一対の側板の対向する内面に、一対の側板が互いに離間する方向に弾性を有する弾性体と、一対の側板を、弾性体の弾性に抗して係脱自在に係合する側板係合機構とを有し、この仕切体を、書類と書類との間隙に介在させて側板の外面に当接する書類を、側板を介して両側から弾性的に押圧して、書類を立てた状態で安定的に保持するとともに、仕切体を本棚から取り出した状態では、側板係合機構により両側板を互いに重ね合わせた状態に保持するようにしたものである【選択図】  図１
2005205048.tif 000002
【特許請求の範囲】
【請求項１】
本棚の棚板に起立して収納される書類と書類との間隙に介在可能な本棚の仕切体において、
この仕切体は、一対の側板と、この一対の側板の対向する内面に配置するとともに、一対の側板が互いに離間する方向に弾性を有する弾性体と、前記一対の側板を、前記弾性体の弾性に抗して係脱自在に係合する側板係合機構とを有し、
この仕切体を、前記書類と書類との間隙に介在させて前記側板の外面に当接する書類を、前記側板を介して両側から弾性的に押圧して、前記書類を立てた状態に保持するとともに、前記仕切体を前記本棚から取り出した状態では、前記側板係合機構により両側板を互いに重ね合わせた状態に保持するようにしたこと
を特徴とする本棚の仕切体。
【請求項２】
前記弾性体は、一対の前記側板の対向する内面に、複数箇配置したこと
を特徴とする請求項１に記載の本棚の仕切体。
【請求項３】
前記弾性体は、円錐つるまきばねを、その頂部で互いに連設した形状の左右点対称型の円錐つるまきばねであり、この左右点対称型の円錐つるまきばねの両端部を、前記側板内面に着脱自在に固定したこと、
を特徴とする請求項１〜請求項２にそれぞれ記載の本棚の仕切体。
【請求項４】
前記側板係合機構は、一方の前記側板の水平あるいは垂直方向いづれかの一方向の両端部に、第１の係合部と第１の被係合部とを設けるとともに、他方の側板に、前記第１の係合部と前記第１の被係合部とにそれぞれ対向して、前記弾性体の弾性に抗して、前記第１の係合部と前記第１の被係合部とに係脱自在に係合する第２の被係合部と第２の係合部とを設けたこと、
を特徴とする請求項１〜請求項３にそれぞれ記載の本棚の仕切体。
【請求項５】
前記側板係合機構は、一対の前記側板の中央部内面の互いに対向する位置に、前記弾性体の弾性に抗して係脱自在に係合する第３の係合部と第３の被係合部とをそれぞれ有し、さらに、この第３の係合部と第３の被係合部とが係合した時、この第３の係合部と第３の被係合部とには、その内部に収縮状態の前記弾性体を収納可能な空隙を有し、
前記第３の係合部と第３の被係合部とは、いずれか一方の前記側板を回動させることにより、前記弾性体の弾性に抗して係脱自在に係合するようにしたこと
を特徴とする請求項１〜請求項３にそれぞれ記載の本棚の仕切体。
【請求項６】
前記第３の被係合部は、さらに、その内部で前記第３の係合部を回動自在に収納することが可能な第２の空隙を、前記第３の被係合部の内部に有すること
を特徴とする請求項５に記載の本棚の仕切体。
【発明の詳細な説明】
【技術分野】
【０００１】
この発明は、本棚の棚板に立てた書籍、雑誌や資料等（以下、書籍、雑誌や資料等を、単に書類と記す）と書類との間隙に介在させて、書類を常に立てた状態に保持する本棚の仕切体に関するものである。
【背景技術】
【０００２】
一般に、本棚は、複数段に棚板が架け渡されており、この棚板には多数の書籍、雑誌や資料等（以下、書籍、雑誌や資料等を、単に書類と記す）が立てた状態で収納されている。そして、各段の棚板上を所定の間隔で仕切るための仕切体が取り付けられた本棚もある。このような仕切体には、固定位置に設けられているものや、仕切体の位置を棚板上で任意に変えることの出来る形式の仕切体等がある。
【０００３】
例えば、仕切体の位置を棚板上で任意に変えることの出来る後者の形式の仕切体としては、図９に示すように、本立て内で仕切板５１が左右自在に移動可能となるように、本立て５０に上下に所定間隔をおいて２本のレール５２が平行に取り付けられている。そして、この２本のレール５２の前方に直交して本立て基台上で起立する仕切板５１の背面に支え板５４が固定され、この支え板５４は２本のレール２からわずかに突出した支え板５４の背面に、２本のレール５２に係合する外れ止め（図示せず）を固定している。そして、外れ止めが２本のレールの係合から解除し得るように、２本のレール５２の一方に、取付・取り外し口５３を設けている。
【特許文献１】実用新案登録第３０７５０４６号
【０００４】
又、弾性体の反発力と伸縮を利用した伸縮式ブッケエンドがある。これは、図１０、図１１に示すように、弾性体６０の両端にストッパー６１、６２を設け、これを、図１１に示すように、本棚６３と本６４との空間にはめ込むようにしたものである。
【特許文献２】特願２００３−１０２５６３号
【発明の開示】
【発明が解決しようとする課題】
【０００５】
仕切体が固定位置に設けられた前者の形式のものは、その位置を任意に変えることが出来ない。そのため、書類が詰まった状態で載置されている場合には、書類は安定した状態に保持されているが、書類が少ない場合には、書類が傾斜することにより、書類が型崩れしたり、又、薄い本や、形が崩れやすいパンフレットや中綴じの雑誌等の資料を立てるのには、不適当である等の問題がある。
【０００６】
又、図９に示すように、仕切体の位置を棚板上で任意に変えることの出来る形式の場合には、本立ての大きさ自体が固定された形状となり、通常の一般的な本棚には、仕切体としては使用することができなかった。
【０００７】
又、図１０、図１１に示す形式のものは、弾性体６０として、コイルバネや蛇腹等を用いた場合には、収縮した状態であってもコイルや蛇腹の厚みが広く、本棚６３に占める幅が広くなる。そのため、本棚６３のデッドスペースが広くなり、本棚６３のスペース効率が悪い。さらに、本棚６３から取り外すと、コイルバネがのびてしまったり、バネが屈曲したりするため、周囲にとっては、邪魔になる等の問題がある。
【課題を解決するための手段】
【０００８】
請求項１に係る発明は、本棚の棚板に起立して収納される書類と書類との間隙に介在可能な本棚の仕切体において、この仕切体は、一対の側板と、この一対の側板の対向する内面に配置するとともに、一対の側板が互いに離間する方向に弾性に有する弾性体と、一対の側板を、弾性体の弾性に抗して係脱自在に係合する側板係合機構とを有し、この仕切体を、書類と書類との間隙に介在させて側板の外面に当接する書類を、側板を介して両側から弾性的に押圧して、書類を立てた状態で安定的に保持するとともに、仕切体を本棚から取り出した状態では、側板係合機構により両側板を互いに重ね合わせた状態に保持するようにしたものである。
【０００９】
請求項２に係る発明は、請求項１に係る発明において、弾性体は、一対の側板の対向する内面に、複数箇配置するようにしたものである。
【００１０】
請求項３に係る発明は、請求項１〜請求項２に係る発明において、弾性体は、円錐つるまきばねを、その頂部で互いに連設した形状の左右点対称型の円錐つるまきばねであり、この左右点対称型の円錐つるまきばねの両端部を、側板内面に着脱自在に固定したものである。
【００１１】
請求項４に係る発明は、請求項１〜請求項３のそれぞれに係る発明において、側板係合機構は、一方の側板の水平あるいは垂直方向のいずれか一方向の両端部に、第１の係合部と第１の被係合部とを設けるとともに、他方の側板に、第１の係合部と第１の被係合部とにそれぞれ対向して、弾性体の弾性に抗して、第１の係合部と第１の被係合部とに係脱自在に係合する第２の被係合部と第２の係合部とを設けたものである。
【００１２】
請求項５に係る発明は、請求項１〜請求項３のそれぞれに係る発明において、側板係合機構は、一対の側板の中央部内面の互いに対向する位置に、弾性体の弾性に抗して係脱自在に係合する第３の係合部と第３の被係合部とをそれぞれ設け、さらに、この第３の係合部と第３の被係合部とが係合した時、収縮状態の前記弾性体を収納可能な空隙を有し、第３の係合部と第３の被係合部とは、いずれか一方の側板を回動させることにより、弾性体の弾性に抗して係脱自在に係合するようにしたものである。
【００１３】
請求項６係る発明は、請求項５に係る発明において、第３の被係合部は、さらに、その内部で第３の係合部を回動自在に収納することが可能な第２の空隙を、第３の被係合部の内部に有するようにしたものである。
【発明の効果】
【００１４】
請求項１に係る発明は、本棚の棚板に起立して収納される書類と書類との間隙に介在可能な本棚の仕切体において、この仕切体は、一対の側板と、この一対の側板の対向する内面に配置するとともに、一対の側板が互いに離間する方向に弾性に有する弾性体と、一対の側板を、弾性体の弾性に抗して係脱自在に係合する側板係合機構とを有し、この仕切体を、書類と書類との間隙に介在させて側板の外面に当接する書類を、側板を介して両側から弾性的に押圧して、書類を立てた状態で安定的に保持するとともに、仕切体を本棚から取り出した状態では、側板係合機構により両側板を互いに重ね合わせた状態に保持するようにしたので、本棚の棚板上の書類と書類との間に間隙があり、詰まった状態で載置されていない場合でも、書類と書類との間隙に仕切体を配置すれば、間隙の幅に関係なく両側板が弾性的に書類を押圧して、書類を詰まった起立した状態で安定的に保持することが出来る。又、本棚の大きさに関係なく、利用することが出来る。
【００１５】
請求項２に係る発明は、請求項１に係る発明において、弾性体は、一対の側板の対向する内面に、複数箇配置するようにしたので、請求項１に係る発明と同様な効果があるとともに、雑誌等の縦長の書類を収納する本棚の場合には、側板を細長く形成するが、この場合には、弾性体を、例えば、垂直方向に２カ所配置すれば、弾性体の弾性力は、書類に対して均等に付加され、書類を直立に保持出来る。
【００１６】
請求項３に係る発明は、請求項１〜請求項２に係る発明において、弾性体として円錐つるまきばねを、その頂部で互いに連設した形状の左右点対称型の円錐つるまきばねであり、この左右点対称型の円錐つるまきばねの両端部を、側板内面に着脱自在に固定したので、請求項１〜請求項２に係る発明と同様な効果があるとともに、仕切体の両側板を重ね合わせた状態では、両側板の間隙は、円錐つるまきばねのコイルの直径程度の太さ迄狭くなり、収納性が良い。弾性体は、側板に着脱自在としたので、請求項１に係る発明と同様な効果があるとともに、さらに、種々の間隙に対応することの出来る仕切体を準備することが出来る。又、使用状態では、円錐つるまきばねのコイルの間にも書類を立てることが出来る。
【００１７】
請求項４に係る発明は、請求項１〜請求項３のそれぞれ係る発明において、側板係合機構は、一方の側板の水平あるいは垂直方向のいずれか一方向の両端部に、第１の係合部と第１の被係合部とを設けるとともに、他方の側板に、第１の係合部と第１の被係合部とにそれぞれ対向して、弾性体の弾性に抗して、第１の係合部と第１の被係合部とに係脱自在に係合する第２の被係合部と第２の係合部とを設けたので、請求項１〜請求項３に係る発明と同様な効果があるとともに、仕切体を使用しない場合には、仕切体の両側板を重ね合わせた状態にしてコンパクトにすることが出来る。さらに、この状態で、移動自在な仕切体として使用することも出来る。
【００１８】
請求項５に係る発明は、請求項１〜請求項３のそれぞれに係る発明において、側板係合機構は、一対の側板の中央部内面の互いに対向する位置に、弾性体の弾性に抗して係脱自在に係合する第３の係合部と第３の被係合部とをそれぞれ設け、さらに、この第３の係合部と第３の被係合部とが係合した時、収縮状態の前記弾性体を収納可能な空隙を有し、第３の係合部と第３の被係合部とは、いずれか一方の側板を回動させることにより、弾性体の弾性に抗して係脱自在に係合するようにしたので、請求項１〜請求項３に係る発明と同様な効果があるとともに、両側板は、ワンタッチで係脱自在となり、取り扱いが便利である。
【００１９】
請求項６係る発明は、請求項５に係る発明において、第３の被係合部は、さらに、その内部で第３の係合部を回動自在に収納することが可能な第２の空隙を、第３の被係合部の内部に有するようにしたので、請求項５と同様な作用効果がある。
【発明を実施するための最良の形態】
【００２０】
一対の側板と、この一対の側板の対向する内面に配置するとともに、一対の側板が互いに互いに離間する方向に弾性を有する左右点対称型の円錐つるまきばねと、２つの側板の水平あるいは垂直方向のいずれか一方の両端部に、それぞれ設けられ、この一対の側板を、つるまきばねの弾性に抗して、互いに係脱自在に係合する係合部と被係合部とを有する仕切体を形成した。この仕切体を書類と書類との間隙に介在させて側板の外面に当接する書類を、側板を介して両側から弾性的に押圧して、書類を立てた状態に保持するとともに、仕切体を本棚から取り出した状態では、側板係合機構により両側板を互いに重ね合わせた状態に保持するようにした。
【実施例１】
【００２１】
この発明の第１の実施例を、図１〜図２に基づいて詳細に説明する。
図１〜図２は、この発明による仕切体１の実施例を示すもので、図１は、仕切体１の斜視図である。図２は使用状態を示す斜視図である。
【００２２】
図１〜図２において、本棚の棚板２上には、書類３が載置されており、この書類３の間隙８には、仕切体１が挿嵌されている。この仕切体１は、互いに対向する一対の側板４（４ａ、４ｂ）、この側板４を互いに離間する方向に弾性的に連結する弾性体５、一対の側板４（４ａ、４ｂ）を、弾性体５の弾性に抗して係脱自在に係合する側板係合機構６により構成されている。
【００２３】
一対の側板４（４ａ、４ｂ）は、この実施例の場合には、いずれも矩形状の薄板で、２枚とも同一形状に形成されており、この互いに対向する側板４（４ａ、４ｂ）の水平方向の両端部には、それぞれ一方の側板４ａに第１の係合部６ａと第１の被係合部６ｂｂとが設けられており、他方の側板４ｂには、一方の側板４ａの第１の係合部６ａと第１の被係合部６ｂｂとにそれぞれ対向する位置に、第１の係合部６ａと係合する第２の被係合部６ｂが、さらに第１の被係合部６ｂｂと係合する第２の係合部６ａａがそれぞれ形成されており、これらの第１の係合部６ａと第２の被係合部６ｂ、第２の係合部６ａａと第１の被係合部６ｂｂとにより、側板係合機構６が構成されている。そして、棚板２と当接する側板下端は、棚板２の面に沿った水平な形状に形成されている。
【００２４】
なお、この実施例の場合には、側板４は矩形状に形成されているが、この形状に限定されるものではなく、円形状でも、三角形状でもあってもよく、いかなる形状であってもよい。この実施例のように、棚板２と当接する側板下端が水平であれば、仕切体１を棚板２上の書類３と書類３の間隙８に挿入する際に、この仕切体１の座りがよくなり、使いやすく便利である。
【００２５】
弾性体５は、円錐つるまきばねを、その頂部で互いに連設した形状の左右点対称型の円錐つるまきばねが用いられており、この円錐つるまきばね５の両端は、それぞれ両側板４ａ、４ｂの中央部内面に断面Ｌ型の係止部７に着脱自在に固定されており、両側板４（４ａ、４ｂ）を互いに離間する方向に弾性力が付加されている。従って、仕切体１を書類３と書類３との間隙８に挿入した場合には、間隙８を開く方向に両側板４（４ａ、４ｂ）が押圧される。一方、仕切体１を書類３の間隙８から引き抜いて、両側板４（４ａ、４ｂ）を重ね合わせ、第１の係合部６ａと第２の被係合部６ｂ、第２の係合部６ａａと第１の被係合部６ｂｂとを互いに係合させれば、両側板４（４ａ、４ｂ）の間隙は、円錐つるまきばねのコイルの直径程度の太さ迄狭くなる。
【００２６】
この第１の実施例の場合には、側板係合機構６は、図１に示すように、一方の側板４ａの第１の係合部６ａは、断面Ｌ型の鍵状のリブが立設されており、この第１の係合部６ａと係合する他方の側板４ｂの第２の被係合部６ｂは、凹型に切欠されている。同様に、他方の側板４ｂの第２の係合部６ａａと一方の側板４ａの第１の被係合部６ｂｂとは、同様な形状に形成されている。従って、２枚の側板４ａ、４ｂは、弾性体５により互いに離間する方向に付加されている弾性に抗して、側板係合機構６の第１の係合部６ａと第２の被係合部６ｂ、第２の係合部６ａａと第１の被係合部６ｂｂとが互いに係脱自在に係合するように構成されている。
【００２７】
なお、この第１の実施例の場合には、側板係合機構６は、上記のような形状に使用されているが、これに限定されるものではなく、２枚の側板４ａ、４ｂは、弾性体５により、互いに離間する方向に付加されている弾性に抗して、互いに係脱自在に係合できれば如何なる形状でも良い。例えば、一対以上の磁性体（例えば永久磁石）により構成された側板係合機構６を取り付けても良い。又、後述する実施例３の形状であっても良い。
【００２８】
仕切体１は、このように構成されているので、棚板２上の書類３と書類３の間隙８に挿入すれば、弾性体５の弾性力により、両側板４（４ａ、４ｂ）を介して書類３が両方向に押圧されるので、書類３を起立した状態で安定的に保持することが出来る。さらに、円錐つるまきばねのコイルとコイルとの間隙にも書類等を挟んだ状態で起立させることも出来る。又、仕切体１を使用しない場合には、第１の係合部６ａと第１の被係合部６ｂ、第２の係合部６ａａと第２の被係合部６ｂｂを互いに係合させれば、弾性体５の円錐円錐つるまきばね５は収縮し、両側板４（４ａ、４ｂ）の間隙は、円錐つるまきばねのコイルの直径程度の狭い間隙となり、この状態で収納することが出来る。あるいは、仕切体１の両側板４を重ね合わせた状態にして、棚板２上に載置すれば、移動自在な仕切体１としても使用することも出来る。
【実施例２】
【００２９】
この発明の第２の実施例を、図２〜図６に基づいて詳細に説明する。この実施例２の場合には、実施例１とは、その側板係合機構が相違する。
図３は、この発明による仕切体１０の斜視図、図４は、被係合部９ｂを示す要部斜視図、図５は、第３の係合部９ａの平面図で、弾性体５として、円錐つるまきばね（以下、つるまきばね５と記す）が収納された状態を示すである。図６は、第３の被係合部９ｂの平面図で、つるまきばね５が収納された状態を示すである。なお、実施例１と同一の部分については、同一名称、同一番号を使用し、その説明を省略する。
【００３０】
図３〜図６において、仕切体１０は、互いに対向する一対の側板４（４ａ、４ｂ）、この側板４を互いに離間する方向に弾性的に配置した弾性体５、一対の側板４（４ａ、４ｂ）、この一対の側板４（４ａ、４ｂ）を弾性体５の弾性に抗して係脱自在に係合する側板係合機構９により構成されている。それぞれ両側板４ａ、４ｂの中央部内面には、第１の実施例と同様に、弾性体５の両端が、係止部７により着脱自在に固定されている。
【００３１】
側板係合機構９は、図３、図４に示すように、一対の側板４（４ａ、４ｂ）の中央部内面の互いに対向する位置に、弾性体５の弾性に抗して係脱自在に係合する第３の係合部９ａと第３の被係合部９ｂとをそれぞれ有しており、さらに、この第３の係合部９ａと第３の被係合部９ｂとが係合した時、収縮した状態の弾性体５を収納可能な空隙（図示せず）を有している。そして、第３の係合部９ａと第３の被係合部９ｂとは、いずれか一方の側板４を回動させることにより、弾性体５の弾性に抗して係脱自在に係合するように構成されている。
【００３２】
一方の側板４ａの中央部内面には、第３の係合部９ａが設けられており、この第３の係合部９ａは、係合部本体９ａａと、鍔部９ａｂとにより構成されている。この係合部本体９ａａは、円筒状で、弾性体５の外周を取り囲む様に設けられている。この係合部本体９ａａの上端、即ち、もう一方の側板４ｂと対向する方向の端は、開口しており、弾性体５が一方の側板４ａに固定されている状態で、弾性体５が伸縮可能となっている。また、この係合部本体９ａａは、収縮した状態の弾性体５を充分に収納することが可能な空隙を有している。鍔部９ａｂは、係合部本体９ａａの開口上端で、一方の側板４ａの面と平行な方向に円盤状に設けられており、この鍔部９ａｂの一部は切り切り欠かれている。
【００３３】
もう一方の側板４ｂの中央部内面には、第３の被係合部９ｂが設けられており、この第３の被係合部９ｂは、被係合部本体９ｂａと、蓋部９ｂｂとにより構成されている。この被係合部本体９ｂａは、円筒状で、弾性体５の外周を取り囲む様に設けられており、この内部で第３の係合部９ａが回動自在に収納することと、収縮した状態の弾性体５を収納することとが可能な空隙が、被係合部本体９ｂａの内部に形成されている。
【００３４】
この被係合部本体９ｂａの上端は、一部開口しており、第３の係合部９ａの上端、即ち、係合部本体９ａａの上端と鍔部９ａｂの上端とが嵌入可能に切り欠かれ、係合部本体９ａａと同様に、弾性体５がもう一方の側板４ｂに固定されている状態で、弾性体５が伸縮可能となっている。この切り欠き部分は、対向する一対の側板４（４ａ、４ｂ）を適当な角度（この実施例の場合、９０°）回動させた状態で係合部９ａの上端が嵌入可能に設けられている。蓋部９ｂｂは、対向する一対の側板４（４ａ、４ｂ）のどちらか一方を適当な角度（この実施例の場合、９０°）回動させ、係合部９ａの上端を被係合部本体９ｂａの上端に嵌入させた後、嵌入した状態で、一対の側板４（４ａ、４ｂ）を対向するように回動させて戻した時に、係合部９ａと被係合部９ｂとが係合するように、この切り欠き部分以外の被係合部本体９ｂａの上端部分は、蓋部９ｂｂとして形成されている。
【００３５】
仕切体１は、このように構成されているので、実施例１と同様に、棚板２上の書類３と書類３の間隙８に挿入すれば、弾性体５の弾性力により、側板４を介して書類３が押圧されるので、書類３を起立した状態で安定的に保持することが出来る。さらに、円錐つるまきばねのコイルとコイルとの間隙にも書類等を挟んだ状態で起立させることが出来る。
【００３６】
又、仕切体１を使用しない場合には、対向する一対の側板４（４ａ、４ｂ）を適当な角度（この実施例１の場合、９０°）回動させ、第３の係合部９ａの上端を被係合部本体９ｂａの上端に嵌入させ、この状態で一対の側板４（４ａ、４ｂ）を対向するように回動させて戻すことで、第３の係合部９ａと第３の被係合部９ｂとを互いに係合させれば、つるまきばねは収縮し、両側板４の間隙は、つるまきばねのコイルの直径程度の狭い間隙となり、この状態で収納することが出来る。また、再び使用する際にも、対向する一対の側板４（４ａ、４ｂ）を適当な角度（この実施例の場合、９０°）回動させるだけで、両側板４の係合状態を解除して使用することができるので、便利である。
【００３７】
なお、この実施例２では、上記の通り、被係合部９ｂが、その内部で回動自在な係合部９ａと、収縮した状態の弾性体５とを、被係合部９ｂの内部に収納可能に構成されているが、この構成に限定される事はなく、係合部９ａが、その内部で回動自在な被係合部９ｂと、収縮した状態の弾性体５とを、係合部９ａの内部に収納可能に構成しても良い。
【実施例３】
【００３８】
この発明の第３の実施例を、図７に基づいて詳細に説明する。この実施例３の場合には、縦長の雑誌等の書類を収納している本棚に適した仕切体２０で、実施例１及び実施例２とは、その側板係合機構が相違するとともに、弾性体５が２カ所に配置されている場合の実施例である。図７は、この発明による仕切体２０の斜視図である。なお、第１及び第２の実施例と同一の部分については、同一名称、同一番号を使用し、その説明を省略する。
【００３９】
図７において、仕切体２０は、実施例１及び実施例２と同様に、互いに対向する一対の側板４（４ａ、４ｂ）、この側板４を互いに離間する方向に、弾性が付与されるように、配置した２個の弾性体５（５ａ、５ｂ）、一対の側板４（４ａ、４ｂ）、この一対の側板４（４ａ、４ｂ）を、弾性体５の弾性に抗して係脱自在に係合する２箇所の側板係合機構１９（１９ａと１９ｂ及び１９ａａと１９ｂ）により構成されている。
【００４０】
この実施例３の場合には、側板４は、縦長の雑誌等の書類を収納している本棚の仕切体として適するように、縦長に形成されている。さらに、弾性体５として、実施例１及び実施例２と同様な形状のつるまきばねが用いられているとともに、各つるまきばね（以下、つるまきばね５あるいは弾性体５と記す）の両端は、それぞれ両側板４ａ、４ｂの垂直方向上下端内面に、係止部７によりそれぞれ着脱自在に固定されている。
【００４１】
一方の側板４ａの垂直方向上端部には、カギ状のＬ型の第４の係合部１９ａが設けられており、この第４の係合部１９ａに対向する他方の側板４ｂの垂直方向上端部には、第４の係合部１９ａのＬ型の引っ掛け部分を係止する開口が形成されており、第４の被係合部１９ｂを構成している。同様に、一方の側板４ｂの垂直方向下端部には、開口した第５の被係合部１９ｂｂが設けられており、この第５の被係合部１９ｂｂに対向する他方の側板４ｂの垂直方向下端部には、Ｌ型の第５の係合部１９ａａが設けられており、このＬ型の第５の係合部１９ａａの引っ掛け部分は、第５の被係合部１９ｂｂに係止されるように構成されている。このように、側板係合機構１９は、Ｌ型の第４の係合部１９ａと第４の被係合部１９ｂ及び第５の係合部１９ａａと第５の被係合部１９ｂｂとにより構成されている。
【００４２】
なお、この実施例３のように、側板４が金属製の材質で形成されている場合には、第４及び第５の係合部１９ａ、１９ａａは、側板４からＬ型に切り起こして形成される。そのため、製造が容易であるとともに、コストが安くなる。又、側板４を合成樹脂で形成する場合には、一体成形により形成することが出来る。
【産業上の利用可能性】
【００４３】
この発明による仕切体は、机上の本立てや床に設置されている本棚等、任意の箇所に使用出来る。又、書類にかぎらず、棚板上に起立した状態で収納されている容器、各種の商品等に対しても、これらの商品を起立した状態で安定的に保持出来る。
【図面の簡単な説明】
【００４４】
【図１】この発明の第１の実施例を示す斜視図である。
【図２】この発明の第１の実施例を示すもので、仕切体１の使用状態を示す斜視図である。
【図３】この発明の第２の実施例を示す斜視図である。
【図４】この発明の第２の実施例を示すもので、被係合部９ｂを示す要部斜視図である。
【図５】この発明の第２の実施例を示すもので、第３の係合部９ａの平面図で、弾性体５として、つるまきばね（以下、つるまきばね５と記す）が収納された状態を示すである。図６は、第３の被係合部９ｂの平面図で、つるまきばね５が収納された状態を示すである。なお、第３の係合部９ａの平面図である。
【図６】この発明の第２の実施例を示すもので、第３の被係合部９ｂの平面図で、つるまきばね５が収納された状態を示すである。なお、第３の係合部９ａの平面図である。
【図７】この発明の第３の実施例を示す斜視図である。
【図８】従来例を示す斜視図である。
【図９】従来例を示す正面図である。
【図１０】従来例を示すもので、使用状態を示す正面図である。
【符号の説明】
【００４５】
１、１０、２０    仕切体
２                本棚
３                書類
４（４ａ、４ｂ）  側板
５                弾性体
６、９、１９      側板係合機構
８                書類の間隙
【図１】
2005205048.tif 000003
【図２】
2005205048.tif 000004
【図３】
2005205048.tif 000005
【図４】
2005205048.tif 000006
【図５】
2005205048.tif 000007
【図６】
2005205048.tif 000008
【図７】
2005205048.tif 000009
【図８】
2005205048.tif 000010
【図９】
2005205048.tif 000011
【図１０】
2005205048.tif 000012